(57)【特許請求の範囲】
【請求項１】
写真感光材料を搬送経路に沿って搬送し又は除塵を行う搬送ローラを駆動するモータと、
前記写真感光材料を巻き取るスプールを駆動するモータと、
前記搬送ローラを第１の回転速度で駆動させる第１モードと、前記搬送ローラを前記第１の回転速度よりも遅い第２の回転速度で駆動させる第２モードと、のいずれかを選択する制御部とを備え、
前記第２モードが選択された場合、前記スプールを駆動するモータにより前記スプールの回転周速度を前記第２モードにおける前記搬送ローラの回転周速度よりも高速で駆動して前記写真感光材料を搬送すると共に、前記搬送ローラにより前記写真感光材料に対する除塵を行うことを特徴とする写真感光材料のクリーニング装置。
【請求項２】
前記第２モードにおいて前記搬送ローラを停止させることを特徴とする請求項１に記載の写真感光材料のクリーニング装置。
【請求項３】
前記搬送ローラを駆動するモータを励磁状態とすることで前記搬送ローラを停止させることを特徴とする請求項２に記載の写真感光材料のクリーニング装置。
【請求項４】
前記搬送ローラの前記搬送経路の上流側に送り込みローラを備えており、前記制御部は、前記第２モードによる除塵作用を行う前に、前記搬送ローラを停止させた状態で前記送り込みローラを駆動させることで前記写真感光材料のループを形成するように構成されていることを特徴とする請求項１〜３のいずれかに記載の写真感光材料のクリーニング装置。
【請求項５】
前記搬送ローラの外周部に付着した塵埃を除去するためのローラクリーナーを設けたことを特徴とする請求項１〜４のいずれかに記載の写真感光材料のクリーニング装置。
【請求項６】
前記搬送経路の終端に取り付けられるカートリッジ内に収納されながら前記除塵作用が実行されることを特徴とする請求項１〜４のいずれかに記載の写真感光材料のクリーニング装置。
【発明の詳細な説明】
【０００１】
【発明の属する技術分野】
本発明は、写真感光材料、特に磁気記録部を有する写真感光材料の表面に付着した塵埃を取り除くためのクリーニング装置に関する。
【０００２】
【従来の技術】
写真感光材料、例えば、写真フィルムはカメラで被写体を撮影した後に、現像処理され、さらに、印画紙に対して画像の焼付処理がされる。このような写真フィルムとして図４に示すような先進写真システムに利用される形態のものが知られている。このフィルム１は、画像領域１ａの他に、画像領域１ａの上下に種々の情報を読取り又は書き込みを行うための磁気記録部１ｂが設けられている。磁気記録部１ｂへの情報の記録は、例えば、写真撮影時に行われ、露出時間や絞り値やフラッシュ発光の有無などの撮影条件や、撮影年月日や、焼付サイズのような情報がカメラに設けられた磁気ヘッドにより磁気記録部１ｂに書き込みされる。そして、このような情報は、写真フィルムに写し込まれた画像を現像して印画紙に焼き付けをするにあたり、写真処理装置に設けられた磁気ヘッドにより読み取られる。さらに、この写真処理装置においても、印画紙への焼付露光条件が磁気ヘッドにより書き込まれる。
【０００３】
ところで、磁気ヘッドによる情報の読み取りや書き込みを正確に行うためには、写真フィルム面に付着しているゴミやほこりを取り除く必要がある。特に、現像処理を行った後の写真フィルムの場合には、前述したゴミとして、写真フィルムの表面に現像処理液が残存し、これが凝固することも考慮しなければならない。このようなゴミが写真フィルムに付着していると、磁気情報の正確な読み取りや書き込みができなくなる可能性がある。
【０００４】
このような問題点に対処するため、従来はオペレーターが布などを使用して写真フィルム面を拭き取っていた。
【０００５】
【発明が解決しようとする課題】
しかしながら、オペレータが写真フィルムの拭き取りを行うのは作業性が非常に悪く改善が望まれていた。
本発明の目的は、写真感光材料面上のゴミを自動的に除去するクリーニング装置を提供することである。
本発明の別の目的は、磁気情報の読み取りや書き込みを正確にできるようにすることである。
【０００６】
【課題を解決するための手段】
上記目的を達成するための本発明の特徴構成は、写真感光材料を搬送経路に沿って搬送し又は除塵を行う搬送ローラを駆動するモータと、前記写真感光材料を巻き取るスプールを駆動するモータと、前記搬送ローラを第１の回転速度で駆動させる第１モードと、前記搬送ローラを前記第１の回転速度よりも遅い第２の回転速度で駆動させる第２モードと、のいずれかを選択する制御部とを備え、前記第２モードが選択された場合、前記スプールを駆動するモータにより前記スプールの回転周速度を前記第２モードにおける前記搬送ローラの回転周速度よりも高速で駆動して前記写真感光材料を搬送すると共に、前記搬送ローラにより前記写真感光材料に対する除塵を行うことである。
これによると、第１モード時では搬送ローラにより通常の写真感光材料の搬送を行い、第２モード時には搬送ローラを利用して写真感光材料に付着しているゴミを取り除くのである。第２モード時では、写真感光材料は搬送ローラとは別の駆動源により搬送されることになるが、その搬送速度が第１モード時と略同じであるとすれば、第２モードにおける搬送ローラの回転速度を第１モードよりも遅くすることで、あるいは、前記別の駆動源による回転周速度を第２モードにおける搬送ローラの回転周速度よりも高速にすることで、搬送ローラの表面と写真感光材料の表面との間に摩擦抵抗が生じる。その結果、写真感光材料面上のゴミを自動的に除去できるのである。
【０００７】
また、第１モードと第２モードにおける写真感光材料の搬送される速度が異なっていても、第２モードにける写真感光材料の搬送される速度よりも搬送ローラの回転周速度を低速になるようにすれば、同じ結果を得ることができる。
この「回転周速度を低速になるようにすること」には、「搬送ローラを停止させること」や、「搬送ローラを逆方向に回転させること」をも含む意味である。特に、搬送ローラを停止させることが制御の点からみて好ましい。
【０００８】
搬送ローラを停止させるには、搬送ローラに駆動力を伝達するモータへの通電をオフにすることにより行うことができるが、このモータを励磁状態とすることで前記搬送ローラを停止させるようにするのが好ましい。
第２モードでは、搬送ローラとは別の駆動源で写真感光材料が搬送されるのであるが、写真感光材料と搬送ローラとは常時接触状態にあるので、この写真感光材料の搬送に伴い、搬送ローラを回転させようとする。写真感光材料の搬送と共に、搬送ローラが回転させられると、除塵作用ができなくなってしまうので、搬送ローラが容易に回転させられないようにしておくのである。これは、搬送ローラと連結されたモータを励磁状態とすることで達成することができる。
【０００９】
さらに、前記搬送ローラの前記搬送経路の上流側に送り込み用ローラを備えており、前記制御部を、前記第２モードによる除塵作用を行う前に、前記搬送ローラを停止させた状態で前記送り込み用ローラを駆動させることで前記写真感光材料のループを形成するように構成することができる。
これにより、写真感光材料のループを形成することで、除塵作用を行う前にいったん写真感光材料を待機させることができる。つまり、写真感光材料の送り込み動作と除塵動作とを独立して行えるので、写真感光材料に対する除塵を確実なものにできる。
【００１０】
また、前記搬送ローラの外周部に付着した塵埃を除去するためのローラクリーナーを設けておくと、搬送ローラに汚れが堆積することを防止でき、写真感光材料を搬送させると言う本来の機能を維持させることができる。
【００１１】
更に又、前記写真感光材料は前記搬送経路の終端に取り付けられるカートリッジに収納されるとともに、このカートリッジ内に収納されながら前記除塵作用が実行されるようにしてもよい。これによると、カートリッジへの写真感光材料の収納と写真感光材料の除塵とを並行してできるので、作業の効率がよい。
【００１２】
【発明の実施の形態】
本発明の好ましい実施形態を、図を基に説明する。
写真現像装置１００には、図１に示すように、写真感光材料の一例である写真フィルム１（以下、単にフィルムと言う。）を装填するフィルム装填部２と、フィルム装填部２から繰り出されるフィルム１を現像処理するフィルム現像処理部３と、現像処理後のフィルム１を乾燥するフィルム乾燥部４と、乾燥後のフィルム１をクリーニングするフィルムクリーニング部５とが備えられている。
【００１３】
フィルム現像処理部３には、発色現像、停止、定着、安定からなる現像処理を順次行うため複数種類の現像処理液が各別に充填された７槽の現像処理タンクを備えている。具体的には、フィルム１の搬送方向上流側から順に、１つの発色現像槽６、２つの漂白槽７，３つの定着槽８，１つの安定槽９とからなる。
【００１４】
次に、フィルム１について図４により説明する。フィルム１には、画像領域１ａと、画像領域１ａの上下に設けられた磁気記録部１ｂと、送り用のパーフォレーション１ｃと、フィルム１の長手方向の端部に形成された長穴１ｄ及び２個の丸穴１ｅとが設けられている。
【００１５】
次に、フィルムクリーニング部５に設けられたクリーニング装置の詳細を図２と図３により説明する。図２は、クリーニング装置全体の側面図であり、図３は搬送ローラ周辺の拡大斜視図である。
フィルム１の搬送経路の上流側に送り込みローラ１０が、下流側に搬送ローラ１１が設けられている。送り込みローラ１０は、フィルム乾燥部４を通過したフィルム１を、搬送ローラ１１の方向へむけて送り込む。図３に示すように、搬送ローラ１１は、フィルム１の磁気記録部１ｂに対応して一対設けられており、かつ、軸１２と一体化されている。搬送ローラ１１は、ベルト１４を介してパルスモータ１３と連結されており、このパルスモータ１３から駆動力を伝達される。搬送ローラ１１に対向して圧着ローラ１５が設けられ、搬送ローラ１１と圧着ローラ１５とが共働してフィルム１を搬送させる。搬送ローラ１１は、ＳＵＳ３０４の素材で形成され、その表面はバフ仕上げがされる。
【００１６】
送り込みローラ１０と搬送ローラ１１の間の搬送経路上には、フィルム１が矢印Ｂで示すようなループを形成するためのループ形成空間１６が設けられている。そして、ループ形成空間１６には、ループの形成状態を検出するためのセンサー１７が設けられており、このセンサー１７は、発光器１７ａと受光器１７ｂとからなる。
また、搬送ローラ１１の搬送経路の下流側にフィルム１の通路Ｃを形成するために、第１ガイド部材１８と第２ガイド部材１９とが設けられている。搬送ローラ１１、及び、圧着ローラ１５は、第２ガイド部材１９に回転自在に取り付けられている。送り込みローラ１０により送り込まれてきたフィルム１を通路Ｃにスムースに導くために、第２ガイド部材１９に傾斜面１９ａが形成されている。
【００１７】
搬送ローラ１１の外周面の一部に接触した状態でローラクリーナー２０が設けられている。このローラクリーナー２０の端面２０ａが、常時搬送ローラ１１と接触しており、搬送ローラ１１の外周面に付着した塵埃をこれにより除去するようにしている。ローラクリーナー２０は、フェルトに糸や布を巻き付けたものを使用し、図３に示すように、板金により形成したクリーナー押え２１によりネジ２２で第１ガイド部材１８に対して固定取付がされる。
ローラクリーナー２０に近接して、フィルム１の先端などの検出を行うセンサー２３が設けられ、第１ガイド部材１８に取り付けられた発光器２３ａと第２ガイド部材１９に取り付けられた受光器２３ｂとからなる。さらに、通路Ｃの出口部分に、フリーローラ２４が第１ガイド部材１８に対して回転自在に取り付けられている。
【００１８】
搬送経路の再下流にはカートリッジ２５が取り付けられるようになっており、通路Ｃから出てきたフィルム１は、カートリッジ２５内のスプール２６に巻取られて収納される。通路Ｃから出てきたフィルム１をカートリッジ２５内に案内するためにアタッチツール２７が設けられる。アタッチツール２７は軸２８周りに回動可能であり、先端部分に形成された爪部２７ａがフィルム１の端部に形成された長穴１ｄと係合できるようになっている。アタッチツール２７は、通常は図２に示す待機位置にある。
【００１９】
以上説明した、クリーニング装置の各部の動作はマイクロコンピュータを中核とする制御部３０により制御される。即ち、送り込みローラ１０に連結された駆動モータ３１、パルスモータ１３、アタッチツール２７、カートリッジ２５のスプール２６に連結された駆動モータ３２の動作が制御部３０により制御され、又、センサー１７，２３の出力信号が制御部３０に入力されるように構成される。
【００２０】
次に、クリーニング装置の動作を図６のフローチャートに基づいて説明する。図１に示される、フィルム現像処理部３、フィルム乾燥部４を通過してきたフィルム１は、引き続いて送り込みローラ１０、搬送ローラ１１、圧着ローラ１５により搬送される（ステップ＃１）。このとき、フィルム１は図２の矢印Ａで示すように、直線状態で搬送されている。センサー２３はフィルム１の先端を検出しており（ステップ＃２）、先端を検出するとパルスモータ１３を励磁させ搬送ローラ１１を停止させる。この場合、送り込みローラ１０は引き続いて回転しているので、ループ形成空間１６にフィルム１のループが形成されていく。そして、センサー１７により所定の大きさのループが形成されたかどうかを検出し（ステップ＃４）、所定の大きさのループが形成されたことを検出すると、搬送ローラ１１を逆転（図２の矢印Ｅ方向）させ、フィルム１を搬送されてきた方向と逆方向に搬送させる（ステップ＃５）。このような、フィルム１の逆搬送をする理由は、ループ形成時にフィルム１の先端が少し送り込まれる方向に動くので、もう一度フィルム１の先端位置を検出することで、先端位置を正確に割り出しできるようにし、後述するフィルム１とアタッチツール２７の爪部２７ａとの係合に不具合が生じないようにするためである。
【００２１】
さて、フィルム１を逆搬送させてセンサー２３によりフィルム１の先端を検出すると（ステップ＃６）、次に搬送ローラ１１を正転（図２の矢印Ｄ方向）させてフィルム１をフリーローラ２４の近傍の所定の位置まで搬送する（ステップ＃７）。この搬送量は予め決められた所定量であり、パルスモータ１３に供給されるパルスの数によって搬送量が制御されるようになっている。
【００２２】
フィルム１が所定量搬送されると、搬送ローラ１１を停止させる（ステップ＃８）。これは、パルスモータ１３への通電をオフにするのではなく、パルスモータ１３を励磁させる。具体的には、パルスモータ１３内の特定の固定子にのみ電流を流し、回転子との間に磁界を発生させる。これにより、モータ軸を外部から回転させようとしても容易には回転しないようになる。
【００２３】
次に、アタッチツール２７を図２の矢印Ｆ方向へ回動させると（ステップ＃９）、爪部２７ａがフィルム１の先端の長穴１ｄと係合し、フィルム１をカートリッジ２５内に案内させる。フィルム１の先端がカートリッジ２５内のスプール２６に係合すると、アタッチツール２７は元の待機位置に復帰し、そして、駆動モータ３２によりスプール２６が回転させられてフィルム１の巻取りを行う（ステップ＃１０）。
この時に、フィルム１は搬送されているが搬送ローラ１１は停止した状態である。フィルム１の搬送にともなって、フィルム１の表面と搬送ローラ１１の表面の摩擦力により搬送ローラ１１も正転方向に回転させようとする力が作用する。しかしながら、パルスモータ１３が励磁されているので、搬送ローラ１１は容易に回転させられないようになっている。従って、搬送ローラ１１の表面とフィルム１の表面との摩擦抵抗により、フィルム１の表面に付着している塵埃は搬送ローラー１１へと移動しフィルム１のクリーニングがされる。搬送ローラ１１は、図３に示すように、磁気記録部１ｂに対向した位置に設けられているので、特に磁気記録部１ｂ上に付着した塵埃を自動的に取り除くことができる。このように、フィルム１のカートリッジ２５への巻取り収納を行いつつ、フィルム１のクリーニングを行う。
【００２４】
センサー２３は、フィルム１の後端がきたかどうかを検出しており（ステップ＃１１）、フィルム１の後端を検出すると、パルスモータ１３の励磁を止める（ステップ＃１２）。そして、フィルム１の後端を検出してから、フィルム１が確実にカートリッジ２５内に完全に収納状態となるような所定時間の経過後に、駆動モータ３２の通電をオフにして、巻取り動作を停止する（ステップ＃１３）。なお、スプール２６を一定回転速度でフィルム１を巻取るようにすると、スプール２６に巻取られた量によってスプール２６の周速度、即ち、フィルム１の搬送される速度が変化する。このような速度変化に対応するためにも、前述したループを形成するのがよいのである。
【００２５】
さて、巻取り動作を停止した後、搬送ローラ１１を１〜２回転ほど逆転させる（ステップ＃１４）。これにより、搬送ローラ１１の表面に付着した塵埃はローラクリーナー２０により自動的に拭き取られる。このローラクリーナー２０は、定期的に交換するようにしておく。
【００２６】
以上説明したような、一連の作動の制御は制御部３０により行われ、搬送ローラ１１が正転することでフィルム１を搬送させる第１モード（ステップ＃１，７）と、搬送ローラ１１を停止させてフィルム１の除塵作用を行う第２モード（ステップ＃８）との切り替えが行われる。
【００２７】
更に、本発明の別実施形態について説明する。
（１）  本実施形態では、フィルム１をカートリッジ２５に収納するようにしているが、これに限定されず、図７のようにリーダー４０にフィルム１をテープなどで貼付けて一体化して現像処理するような場合であってもよい。この場合は、フィルム１はリーダー４０と一体になった状態でクリーニングがなされる。なお、リーダー４０に貼付けられるフィルム１は１本でもよく、複数本でもよい。
（２）  本発明のクリーニング装置は、写真現像装置だけでなく写真焼付装置にも組み込むことができる。
（３）  本実施形態では、フィルム１の磁気記録部１ｂをクリーニングしているが、フィルム１の幅方向全域にわたってクリーニングするようにしてもよい。
（４）  本実施形態では、第２モードにおいて搬送ローラ１１を停止させているが、フィルム１が搬送される速度よりも遅い速度で搬送ローラ１１を回転させても同じ様な除塵作用を行わせることが可能である。この場合において、搬送ローラ１１を逆転させてもよい。
（５）  本実施形態では、搬送ローラ１１を駆動するためにパルスモータ１３を利用しているが、通常の直流モータでもよい。この場合、励磁状態にするにはパルスモータ１３の場合と同様に直流モータが回転しない程度の電流を流せばよい。
（６）  搬送ローラ１１を停止させておく方法として、機械的な手段で行ってもよい。
【図面の簡単な説明】
【図１】写真現像装置の全体構成図
【図２】クリーニング装置の構成図
【図３】クリーニング装置の部分拡大図
【図４】フィルムの外観図
【図５】アタッチツールの部分拡大図
【図６】作動フローチャート
【図７】リーダーとフィルムの接続状態を示す図
【符号の説明】
１    写真フィルム
５    フィルムクリーニング部
１０  送り込み用ローラ
１１  搬送ローラ
１３  パルスモータ
１６  ループ形成空間
１８  第１ガイド部材
１９  第２ガイド部材
２０  ローラクリーナー
２５  カートリッジ
３０  制御部
【図１】
0003605742.tif 000002
【図２】
0003605742.tif 000003
【図３】
0003605742.tif 000004
【図４】
0003605742.tif 000005
【図５】
0003605742.tif 000006
【図６】
0003605742.tif 000007
【図７】
0003605742.tif 000008